(57)【要約】【課題】簡単な構造で、比較的厚手の被挟持物を挟持可能であって、長年のクリップ操作においても各部材の摩耗によるクリップ操作不能のない、筆記具用クリップの取付構造を提案する。【解決手段】軸筒２内に内筒５を固定し、内筒５内にコイルばね７と、傾斜面８を有し該傾斜面８に第１ガイド溝１２を有した可動駒９を摺動可能に挿入する。クリップ１の脚部１４に第１係止突部１８を設ける。脚部１４の後方壁面１９を内側に湾曲した円弧状に形成し、後方壁面１９に円弧状の第２係止突部２１を設ける。クリップ１の 第１係止突部１８を可動駒９の第１ガイド溝１２に係止してクリップ１を配設する。クリップ１の後方に、前方壁面２４をクリップ１の第２係止突部２１と同様な円弧状に形成するとともに円弧状の第２ガイド溝２６を有した栓部材２２を固着する。第２ガイド溝２６にクリップ１の第２係止突部２１を係止する。【選択図】図１
2008260175.tif 000002
【特許請求の範囲】
【請求項１】
後方を開口したクリップ取付孔を有した軸筒またはキャップ筒内に、一端を傾斜面とし該傾斜面に第１ガイド溝を傾斜面に沿って形成してなる可動駒を、傾斜面の後方への最後方端部がクリップ取付孔側に位置するようにして軸心方向に摺動可能に、ばねを介して後方に付勢して配し、可動駒の後方に、クリップ本体と脚部とで構成され、脚部の前方壁面に前記第１ガイド溝に係止可能な第１係止突部を設け、脚部の後方壁面に、該後方壁面に沿って前方壁面側に湾曲した円弧状の第２係止突部を設けたクリップを、脚部をクリップ取付孔に挿着するとともに前記第１係止突部を可動駒の第１ガイド溝に係止して配設し、クリップの後方に、前方壁面にクリップの第２係止突部が係止可能なクリップの第２係止突部の円弧の中心点と同中心点とする半径が前記円弧と略同径または短径とした円弧状に形成した底面を有する第２ガイド溝を設けた栓部材を、第２ガイド溝にクリップの第２係止突部を係止して軸筒内またはキャップ筒内に固定し、クリップ全体が第１ガイド溝と第２ガイド溝に案内されて軸筒またはキャップ筒の表面から離間する方向に持ち上がるようにしたことを特徴とする、筆記具用クリップの取付構造。
【請求項２】
前記クリップの第１係止突部を前方壁面の軸径方向の幅より細幅に形成して前方壁面より前方に突出させて設け、クリップの後方壁面をクリップの第２係止突部の円弧の中心点と同中心点とする半径が前記円弧より長径とした円弧状に形成し、クリップの第２係止突部を後方壁面の軸径方向の幅より細幅に形成して後方壁面より後方に突出させ、栓部材の前方壁面をクリップの第２係止突部の円弧の中心点と同中心点とする半径が前記円弧より長径とした円弧状に形成し、クリップの後方壁面と栓部材の前方壁面を当接したことを特徴とする、請求項１に記載の筆記具用クリップの取付構造。
【発明の詳細な説明】
【技術分野】
【０００１】
本発明は、筆記具用クリップの取付構造に関する。
【背景技術】
【０００２】
筆記具用クリップの機能は、筆記具を机上等に置いた際の転がり防止や、ポケット等の布地をクリップと軸筒の表面間に差した際に、布地をクリップと軸筒の表面でしっかりと挟持し、携帯時におけるポケット等からの抜け落ちを防止する機能がある。後者のクリップに挟持機能を与えるために、様々な筆記具用クリップの取付構造が提案されている。
【０００３】
そうした中、ノート、雑誌、鞄のポケット等の比較的厚い物も挟持ができる筆記具用クリップの取付構造が提案されており、比較的厚手の物に対しても挟持可能なクリップ構造として、クリップ全体が軸筒またはキャップ筒の表面から離間する方向へ持ち上がる構造について提案されたものがある。その中で簡単な構造のものとして、傾斜面に沿ってクリップ全体が持ち上がる構造のクリップが、実開昭６３−９４７９２号公報により開示されている。本考案は、筆記具のクリップの玉部の布地等に対する接触圧を調節可能としたものであり、筆記具の軸に軸線方向に対し所要角度を傾斜したガイド孔を設け、また、玉部を有するクリップ本体部に対し前記ガイド孔と略同角度傾斜した支持片部をクリップに付設し、クリップの支持片部を軸のガイド孔に摺動自在に挿入し、さらにクリップの支持片部をガイド孔の所要位置で固定する係止装置を設けたもので、係止装置として、通孔に挿入した押圧子が支持片部の上面凹凸部に強く圧着することで所要な位置に固定するというものである。
【０００４】
しかし、前記構造は、挟持するものの厚さに応じてクリップの支持片部のガイド孔に対する所要位置を決めて固定する必要があり、使い勝手において難がある。また、構造上、クリップの支持片部のガイド孔に対する位置決めの際に、押圧子の支持片部の上面凹凸部への押圧力を完全に取り除かない状態で、数多く支持片部をガイド孔の傾斜に沿って移動させていると、上面凹凸部の凹凸が押圧子とこすれて摩耗してしまい、支持片部をガイド孔の所要位置に固定できないという問題が発生するという問題がある。
【特許文献１】実開昭６３−９４７９２号公報
【発明の開示】
【発明が解決しようとする課題】
【０００５】
本発明が解決しようとする課題は、簡単な構造でかつ簡単に組立可能であって、比較的厚手の物も挟持可能とすべく、被挟持物を挟持の際にクリップ全体が軸筒またはキャップ筒の表面から離れる方向に持ち上がり、クリップの被挟持物への挟持作動の長期の繰り返しが行われても、クリップを取付けるための各部材の摩耗によるクリップの動作不良のない、筆記具用クリップの取付構造を提案するものである。
【課題を解決するための手段】
【０００６】
本発明は、
「１．  後方を開口したクリップ取付孔を有した軸筒またはキャップ筒内に、一端を傾斜面とし該傾斜面に第１ガイド溝を傾斜面に沿って形成してなる可動駒を、傾斜面の後方への最後方端部がクリップ取付孔側に位置するようにして軸心方向に摺動可能に、ばねを介して後方に付勢して配し、可動駒の後方に、クリップ本体と脚部とで構成され、脚部の前方壁面に前記第１ガイド溝に係止可能な第１係止突部を設け、脚部の後方壁面に、該後方壁面に沿って前方壁面側に湾曲した円弧状の第２係止突部を設けたクリップを、脚部をクリップ取付孔に挿着するとともに前記第１係止突部を可動駒の第１ガイド溝に係止して配設し、クリップの後方に、前方壁面にクリップの第２係止突部が係止可能なクリップの第２係止突部の円弧の中心点と同中心点とする半径が前記円弧と略同径または短径とした円弧状に形成した底面を有する第２ガイド溝を設けた栓部材を、第２ガイド溝にクリップの第２係止突部を係止して軸筒内またはキャップ筒内に固定し、クリップ全体が第１ガイド溝と第２ガイド溝に案内されて軸筒またはキャップ筒の表面から離間する方向に持ち上がるようにしたことを特徴とする、筆記具用クリップの取付構造。
２．前記クリップの第１係止突部を前方壁面の軸径方向の幅より細幅に形成して前方壁面より前方に突出させて設け、クリップの後方壁面をクリップの第２係止突部の円弧の中心点と同中心点とする半径が前記円弧より長径とした円弧状に形成し、クリップの第２係止突部を後方壁面の軸径方向の幅より細幅に形成して後方壁面より後方に突出させ、栓部材の前方壁面をクリップの第２係止突部の円弧の中心点と同中心点とする半径が前記円弧より長径とした円弧状に形成し、クリップの後方壁面と栓部材の前方壁面を当接したことを特徴とする、前記１項に記載の筆記具用クリップの取付構造。」
である。
【０００７】
クリップに設ける第１係止突部は、脚部の前方壁面を第１係止突部としたものでも良いし、前方壁面の前方に前方壁面の軸径方向の幅より細幅の突部を第１係止突部として設けたものでも良い。同様にクリップに設ける第２係止突部も、脚部の後方壁面を第２係止突部としたものでも良いし、後方壁面の後方に後方壁面の軸径方向の幅より細幅の突部を突出した形状でも良い。
【０００８】
クリップの被挟持物を挟持する挟持力は、内筒内に挿入したばねにより後方へ付勢された可動駒の傾斜面の作用により、常時クリップ全体をクリップ本体が軸筒またはキャップ筒の表面に接近する方向に押し下げようとする力が基となるので、所望する弾発力を有するばねを選択することで、所望の挟持力を有するクリップを得ることができる。
【発明の効果】
【０００９】
本発明は前記したよう構造なので、ノート、雑誌、鞄のポケット等の比較的厚い物をクリップに差し込んでも、クリップ全体が軸筒またはキャップ筒の表面から離れる方向に持ち上がるので挟持することができる。クリップはガイド溝に沿って持ち上がるので動きもスムーズであり、被挟持物の厚さに応じて挟持するための特別な操作も必要とせず、使い勝手が良い。また、構造も簡単であり、組立も煩雑ではなく、製造コスト面でも多大な利点がある。また、各部材のクリップの動作により、摩耗も生じにくいので、長い年月の使用におけるクリップの動作不良が生じる恐れがない。
【００１０】
クリップの第２係止突出部と栓部材の第２ガイド溝をともに円弧状に形成して、クリップの第２係止突部を栓部材の第２ガイド溝に係止してあるので、単にクリップ全体が軸筒またはキャップ筒の表面から離間する方向へ持ち上がるだけではなく、クリップ本体の先端が円弧状に軸筒またはキャップ筒の表面から拡開する方向へ持ち上がるので、クリップ本体の先端の軸筒またはキャップ筒の表面からの離間距離が大きくなり、より厚い被挟持物を挟持できるという効果がある。
【００１１】
クリップは、前記したように、円弧状の第２係止突部の円弧状の第２ガイド溝への係止により軸径方向へ真っ直ぐに持ち上がるのではないので、クリップの後方壁面や栓部材の前方壁面が軸心方向に対して真っ直ぐに延びた壁面であると、クリップの移動に際し、クリップの後方壁面の一部が栓部材の前方壁面に衝接する恐れがあるので、クリップの第２係止突部を後方壁面からかなり突出させて設ける必要が生じ、設計上無駄に軸心方向の長さが長くなったりする問題が出てくるが、請求項２に係る発明の構造とすることにより、そうした問題を解消することができる。
【００１２】
また前方壁面や後方壁面を第１係止突部や第２係止突部とすると、第１ガイド溝や第２ガイド溝に係止しているものの、第１係止突部や第２係止突部の幅方向の幅寸法と第１ガイド溝や第２ガイド溝の幅方向の幅寸法との寸法関係により、クリップが軸径方向に揺動する恐れが生じるが、請求項２に係る発明の構造とすることにより、クリップの後方壁面と栓部材の前方壁面が当接することで、前記揺動を抑えることができるという効果がある。
【発明を実施するための最良の形態】
【００１３】
本発明に係る筆記具用クリップの取付構造について、以下、図面を用いて説明する。便宜上、本実施例においては軸筒の後端に取付けた構造として説明するが、本発明の範囲は実施例に限定されるものではない。
図１は、本発明の実施例を示す、クリップを取付けた軸筒部分の縦断面図である。図２は、本発明の実施例における、クリップの側面図である。図３は、図２におけるＡ−Ａ線部分の拡大断面図である。図４は、図１におけるクリップの動作の状態を示した図である。図５は、図４におけるＢ−Ｂ線部分の断面図である。図６は、図４におけるＣ−Ｃ線部分の断面図である。
【実施例】
【００１４】
本実施例の筆記具用クリップの取付構造は、クリップ１を、前方に筆記体（図示せず）を収容した軸筒の後端部２ａに設けられたクリップ取付孔３に取付けた構造のものである。図１に示すように、軸筒の後端部２ａ内には、一端を開口し他端に底部４を有した内筒５を、底部４を軸筒２の前方側（図において左側）へ向けて、クリップ取付孔３の付近の軸筒２内部に接着剤により固定して設けてある。内筒５の底部４は軸筒２の内壁面に形成したリング状突部６に当接しており、内筒５の前方への移動を防止するとともに軸筒２内での位置決めを図っている。なお、クリップの軸筒への取付けに関わりない軸筒の内部構造や筆記体等の部材については省略してある。
【００１５】
内筒５内には、一端を内筒５の底部４に当接してコイルばね７を挿入してあり、その後方（図において右側）に、一端を傾斜面８とした可動駒９を他端の端面１０をコイルばね７の他端に当接させ、傾斜面８の後方への最後方端部１１がクリップ取付孔３に位置するようにして、内筒５内を前後（図において左右）に摺動可能に配設してある。傾斜面８には、傾斜面８に沿って両端を開口して形成した第１ガイド溝１２を設けてある。
【００１６】
クリップ取付孔３は、軸筒２の後端に延びて開口しており、軸心方向に延びたクリップ本体１３と脚部１４とからなるクリップ１を、脚部１４の一部を軸筒２の後方開口部１５から挿入してクリップ取付孔３に位置させて配してある。クリップ１の脚部１４の下端部１６には、図２および図３に示すように、前方（図において左側）に延出した延出部１７を設けてあり、該延出部１７の先端には延出部１７の軸径方向の幅より小幅な前記第１ガイド溝１２に係止可能な第１係止突部１８を突出させて設けてある。脚部１４の後方壁面１９には、該後方壁面１９に沿って前方壁面２０側に湾曲した円弧状の第２係止突部２１を後方に突出して設けてあり、後方壁面１９も前記第２係止突部の円弧の中心点と同中心点とする半径が前記円弧より長径とした円弧状に形成してある。クリップ１は、延出部１７に設けた 第１係止突部１８を可動駒１０の第１ガイド溝１２に係止して配設してある。
【００１７】
クリップの脚部１４の後方には栓部材２２を固着してある。栓部材２２には、軸筒２のクリップ取付孔３に係止可能な係止部２３を設けてあり、係止部２３をクリップ取付孔３に係止して軸筒２内を回転不能としてあり（図１および図６を参照）、かつクリップ２の軸筒２の後方開口部１５からの抜け落ちを防止している。
【００１８】
栓部材２３のクリップ１の脚部１４側の前方壁面２４は、クリップ１の第２係止突部２１の円弧の中心点と同中心点とする半径が前記円弧より長径とした円弧状に形成してある。前方壁面２４には、クリップ１の第２係止突部２１が係止可能な第２係止突部２１の円弧の中心点と同中心点とする半径が前記円弧と若干短径とした円弧状に形成した底面２５を有する第２ガイド溝２６を設けてあり、該第２ガイド溝２６にクリップ１４の第２係止突部２１を係止してある。
【００１９】
クリップ１は、図４に示すように、第１係止突部１８が可動駒９の第１ガイド溝１２に、第２係止突部２１が栓部材２２の第２ガイド溝２６に係止しており、クリップ本体１３と軸筒２の表面間に被挟持物（図示せず）を差し込むと、クリップ１は前記第１ガイド溝１２と第２ガイド溝２６に案内されて、クリップ１が持ち上がり（図面において上側に移動）、持ち上がり量により、前記第１ガイド溝１２と第２ガイド溝２６との軸心方向の離間距離は短くなるが、可動駒９はクリップ１の脚部１４の延出部１７により、前方方向（図面において左側）に押圧されて移動するので、第１ガイド溝１２と第２ガイド溝２６との軸心方向の離間距離は短くなることによるクリップ１４の持ち上がり不能がなく、クリップ１の延出部１７が軸筒２のクリップ取付孔３の近傍に位置するまで、持ち上がることができる。また、クリップ１は軸心方向に対して垂直方向に真っ直ぐに持ち上がるだけではなく、第２係止突部２１と第２ガイド溝２６とが円弧状に形成してあるので、クリップ本体１３の先端部１３ａが大きく開き、比較的厚さのある被挟持物も挟持することが可能である。
【００２０】
本実施例においては、クリップ本体１３と軸筒２の表面間に被挟持物を差し込んだ際に被挟持物を挟持するための、クリップ本体１３の先端部１３ａの裏面には玉部２７を、該玉部２７に対向した軸筒２の表面には突部２８を設けてあるが、玉部２７や突部２８はなくても良い。
【産業上の利用可能性】
【００２１】
本発明の筆記具用クリップの取付構造は、比較的厚手の被挟持物を挟持でき、クリップを取付ける軸筒やキャップが、合成樹脂製、金属製あるいは木製でも良く、材質を限定することなく採用することができ、またクリップの材質も、限定することなく採用することができる。
【図面の簡単な説明】
【００２２】
【図１】本発明の実施例を示す、クリップを取付けた軸筒部分の縦断面図である。
【図２】本発明の実施例における、クリップの側面図である。
【図３】図２におけるＡ−Ａ線部分の拡大断面図である。
【図４】図１におけるクリップの動作の状態を示した図である。
【図５】図４におけるＢ−Ｂ線部分の断面図である。
【図６】図４におけるＣ−Ｃ線部分の断面図である。
【符号の説明】
【００２３】
１  クリップ
２  軸筒
３  クリップ取付孔
７  コイルばね
８  傾斜面
９  可動駒
１２  第１ガイド溝
１３  クリップ本体
１４  脚部
１８  第１係止突部
１９  後方壁面
２１  第２係止突部
２２  栓部材
２４  前方壁面
２６  第２ガイド溝
【図１】
2008260175.tif 000003
【図２】
2008260175.tif 000004
【図３】
2008260175.tif 000005
【図４】
2008260175.tif 000006
【図５】
2008260175.tif 000007
【図６】
2008260175.tif 000008